(57)【特許請求の範囲】
【請求項１】
前脚および後脚と、前脚および後脚を開閉自在に連結している連結部材とを備えており、
前脚および後脚は、それぞれ、互いに間隔をおいてのびた左右一対のポールと、両ポールに渡し止められている複数段のステップと、両ポールの頂端部に渡し止められている天板とよりなり、
連結部材は、前脚および後脚の左右ポールにおける左右方向外側面の上端部にそれぞれ取り付けられかつ前後に隣り合うもの同士がヒンジ結合された４枚のプレートを有しており、 
天板の頂面に、左右長さ方向の全長に亘ってのび左右両端が開口した作業要具滑落防止用凹所が設けられ、凹所の左右両端開口が連結部材のプレートの一部によって閉鎖されている脚立。
【請求項２】
凹所が頂面の前後幅方向の中間部に形成され、頂面の他部が脚立を開いた状態で水平となる平坦面に形成されている請求項１に記載の脚立。
【請求項３】
凹所が逆台形状の横断面を有している請求項１または２に記載の脚立。
【発明の詳細な説明】
【技術分野】
【０００１】
この発明は、脚立に関する。
【背景技術】
【０００２】
従来、脚立の脚は、互いに間隔をおいてのびた一対のポールと、両ポールに渡し止められている複数段のステップと、両ポールの最上段のステップよりも上方レベルに渡し止められている天板とを備えているものが一般的である。
【０００３】
上記脚立を作業者が利用する場合、作業者はステップを上がり下りはするものの、天板に上がり下りをしてはいけない規則になっている。
【０００４】
この種の脚立の天板の機能を検証すると、まず、両ポールの天部となる側の端部を連結固定し、これにより、脚立の強度部材としての役割を果たしている。つぎに、作業者が最上段のステップに上がった場合、作業者がその臑を天板にあてがうようにすれば、作業者のサポートととして機能を、天板が果たすことになる。
【０００５】
従来の脚立の天板は、上記の通り、主として、２通りの機能を果たすだけであるが、これに、さらなる機能を付加することができれば、脚立を付加価値の高いものとすることができる。
【発明の開示】
【発明が解決しようとする課題】
【０００６】
この発明の目的は、従来の天板の果たす機能に、さらなる付加的機能を果たすことのできる付加価値の高い脚立を提供することにある。
【課題を解決するための手段】
【０００７】
この発明による脚立は、天板の頂面に、作業要具滑落防止用凹所が設けられているものである。
【０００８】
作業要具とは、作業に使用されるドライバ、カッタのような道具、工具、刃物や、ボルトのような機械部品を指すものとする。
【０００９】
この発明による脚立では、作業中またはその前後に、作業に使用する要具を天板に載せておいても、凹所によって、脚立から作業要具の滑落を防止できる。
【００１０】
さらに、凹所が、頂面の全体または一部を占めていてもよい。
【００１１】
また、凹所が、頂面の長さ方向にのびておりかつ円弧状または台形状の横断面を有していることが好ましい。
【発明の効果】
【００１２】
この発明によれば、従来の天板のを果たす機能に、さらなる付加的機能を果たすことのできる付加価値の高い脚立が提供される。
【発明を実施するための最良の形態】
【００１３】
この発明の実施の形態を図面を参照しながらつぎに説明する。
【００１４】
以下の説明において、矢印Ａで示す方向を前、これと反対側を後といい、左右とは、後方より見て、そのその左右の側を左右というものとする。
【００１５】
図１を参照すると、開いた状態を示す脚立は、前脚11および後脚12と、これらの前脚11および後脚12を開閉自在に連結している連結部材13と、連結部材13のすぐ下のところで前脚11および後脚12に渡されている開止部材14とを備えている。
【００１６】
前脚11および後脚12は、前後の向きは逆であるが、同一構造のものである。以下、前脚11について、説明する。
【００１７】
前脚11は、互いに間隔をおいてのびた左右一対のポール21と、両ポール21に渡し止められている複数段のステップ22（ここでは、最上段のステップ22のみを図示している）と、両ポール21の、最上段のステップ22よりも上方レベルであって、両ポール21の頂端部に渡し止められている天板23とよりなる。
【００１８】
各ポール21は、横断面コ字状のアルミニウム押出型材製のものであって、互いに平行に拡がる対向状前後壁31、32と、これらの前後壁31、32の相対する両縁部の一方を連絡している側壁33とよりなる。両ポール21は、前後壁31、32の先端同士を相対させるように配置されている。両ポール21の前後壁31、32には前後一対ずつの外リベット孔31A、32Aが同心状にあけられている。
【００１９】
各ステップ22は、横断面略方形状アルミニウム押出型材製の中空状のものであって、図示しないリベットによって対応するステップ22に固定されている。
【００２０】
天板23は、ステップ22と同様に、アルミニウム押出型材製の中空状のものであって、全長にわたって一様な略方形状横断面を有しかつ頂壁41、底壁42および前側壁43および後側壁44よりなる。
【００２１】
頂壁41の頂面の全体には、作業要具滑落防止用凹所51が頂壁41それ自体全体を上向き凹状円弧形に成形することよって形成されている。底壁42は、平坦である。脚立を開いた状態で、前側壁43および後側壁44のそれぞれの上端は、同一レベルとなされている。前側壁43および後側壁44には、両外リベット孔31A、32Aとそれぞれ合致させられた内リベット孔43A、44Aがそれぞれ形成されている。後側壁44の上部には膨出部44Bが設けられている。
【００２２】
天板23の左右対応する側のそれぞれの端部において、ポール21の側壁33に天板23の端面が当接させられるとともに、ポール21の前後壁31、32によって、天板23の前側壁43および後側壁44の、天板23の端面に近接する部分が挟まれ、この状態で、外リベット孔31A、32Aおよび内リベット孔43A、44Aに通されたリベット52によって、ポール21および天板23が固定されている。
【００２３】
作業中に、ボルト等Bを凹所51内に収容した場合、ボルト等Bが転動することによって天板23上から脱落する心配は無い。
【００２４】
つぎに、図３〜図５を参照しながら、天板23の形状の変形例を示す。
【００２５】
図３では、天板頂壁41の頂面の前後方向中央部に、作業要具滑落防止用凹所61が頂壁41それ自体全体を上向き凹状円弧形に成形することよって形成されている。凹所61の前縁部には帯状前縁水平平坦部62が、凹所61の外縁部には帯状外縁水平平坦部63がそれぞれ連なっている。
【００２６】
図４では、図３で示す凹所61のなす円弧形状に代えて、逆台形状の凹所71が形成されている。凹所71の前後には、図３の平坦部62、63と同等の平坦部72、73が連なっている。
【００２７】
図５では、図４の凹所71よりも幅狭の作業要具滑落防止用凹所81が後縁水平平坦部83に近接する位置に部分的に形成されている。図４では、前縁水平平坦部72および外縁水平平坦部63の幅は、ほぼ同等であったが、図５では、前縁水平平坦部82の幅が外縁水平平坦部83の幅のよりも大きく形成されている。
【図面の簡単な説明】
【００２８】
【図１】この発明による脚立の斜視図である。
【図２】図１に示す脚立の天板およびその周辺の横断面図である。
【図３】同天板の変形例を示す図２相当の断面図である。
【図４】同天板の他の変形例を示す図２相当の断面図である。
【図５】同天板のさらなる他の変形例を示す図２相当の断面図である。
【符号の説明】
【００２９】
11  脚
21  ポール
22  ステップ
23  天板
51  凹所
【図１】
0005303197.tif 000002
【図２】
0005303197.tif 000003
【図３】
0005303197.tif 000004
【図４】
0005303197.tif 000005
【図５】
0005303197.tif 000006